(57)【特許請求の範囲】
【請求項１】
キャップ部材と刃台と、それらキャップ部材と刃台との間に装着された少なくとも１つの刃体及び薄板で形成されたガードプレートとを含み、該ガードプレートは、前記刃体の刃先を横切るように刃先を覆う複数の刃先ガードを有し、該刃先ガードは、ガードプレートのプレート前部とプレート後部との間に形成され、それらのプレート前部とプレート後部がそれぞれ固定されている安全カミソリであって、ガードプレートの、最も前側に位置する刃先を覆っている部分から前記プレート前部の前端方向に延びる部分が、その途中で方向を変えて前向きに延びるように曲げられており、その前向きに延びている部分が、キャップ部材と刃台との間で固定されていることを特徴とする安全カミソリ。
【請求項２】
ガードプレートが、その途中で方向を変えて前向きに延びるように曲げられている部分は、ガードプレートのプレート前部にあって、その前向きに延びている部分であるプレート前部の前向き部分が、キャップ部材と刃台との間で固定されている請求項１記載の安全カミソリ。
【請求項３】
ガードプレートの、前向きに延びている部分に孔部が形成され、キャップ部材又は刃台のいずれか一方に形成された突起がその孔に挿し込まれている請求項１又は請求項２記載の安全カミソリ。
【請求項４】
前記孔部は、プレート前部の前向き部分に形成され、且つプレート前部の前向き部分から、それよりも後方の、プレート前部が曲げられている部分を含む位置まで延びている請求項３記載の安全カミソリ。
【請求項５】
孔部は、プレート前部の前向き部分に形成され、且つ刃先ガードの延長線上に位置している請求項３又は請求項４記載の安全カミソリ。
【請求項６】
ガードプレートの前向き部分は、刃体とほぼ平行である請求項１乃至請求項５のいずれか一項記載の安全カミソリ。
【請求項７】
プレート前部の、キャップ部材と刃台との間で固定された部分は、キャップ部材と刃台との間で前後方向、長手方向及び上下方向のうち少なくとも上下方向に遊びをもって固定されている請求項３乃至請求項６のいずれか一項記載の安全カミソリ。
【請求項８】
プレート前部は、ガードプレートの長手方向に間隔を開けて形成された複数の固定用突片を含み、各固定用突片が、その前端方向に延びる途中で方向を変えて前向きに延びるように曲げられており、その前向きに延びる部分である前向き部分が、キャップ部材と刃台との間で固定されている請求項２乃至請求項７のいずれか一項記載の安全カミソリ。
【発明の詳細な説明】
【技術分野】
【０００１】
本発明は、刃先が間隔をあけて刃先ガードで覆われた安全カミソリに関する。
【背景技術】
【０００２】
従来から、刃先が間隔をあけて刃先ガードで覆われた安全カミソリは存在している。特許文献１に記載された安全カミソリでは、刃先ガードが形成されたガード部材（ガードプレート）を有し、ガード部材の後部が水平状態でキャップ部材と刃台に固定され、ガード部材の前部は、刃体に対しほぼ垂直な下向きに延び、キャップ部材と刃台のそれぞれの前端壁間に挟持されている。さらに、刃先ガードに形成された係合孔が、キャップ部材の前端壁に形成された突起状の係合片に係合することにより、装着されたガード部材に加わる引張力などの外力などに抗してガード部材を確実に保持し得るとしている。そして、この係合孔と突起状の係合片との係合箇所は３カ所存在している。このように、ガード部材の前部は、キャップ部材と刃台のそれぞれの前端壁間にしっかりと挟持され、さらに、３カ所の係合箇所で突起状の係合片により係合されることにより、強固に固定されている。このように、ガード部材の前部を強固に固定する理由は、ガード部材の前部が、ガード部材の中央部から前方に続く自然なカーブを描き、そこから、前述したように刃体に対しほぼ垂直な下向きに延びているからである。すなわち、ガード部材に加わる引張力などの外力が、ガード部材の前部に対し、その表面と平行な方向に作用するためである。すなわち、ガード部材に加わる引張力などの外力が、そのままガード部材の前部に伝わり、途中で減じる手段がないので強固に固定する必要があるのである。  
【０００３】
また、特許文献１に記載された安全カミソリのカミソリヘッドの組付けは、カミソリヘッドを裏返した状態で行われる。すなわち、最初に、キャップ部材を裏返し状態でセットし、その上に裏返したガード部材を重ね、それから順次、裏返した刃体やスペーサーを重ね、最後に刃台を裏返した状態で重ねて押圧し、その刃台とキャップ部材を圧接状態で結合する。そのとき、平板状であったガード部材は、他の部品に適合するように自動的に曲げられる。このような組付け方法は、部品を裏返して重ねるだけの単純な工程で済むため、広く使用されている方法である。  
【０００４】
刃先ガードが形成されたガード板（ガードプレート）を有する安全カミソリとして、特許文献１と異なる構成の安全カミソリが特許文献２に記載されている。特許文献２に記載された安全カミソリでは、刃体部材は金属製の上刃体、中刃体及び下刃体がそれぞれスペ−サ−を介して重ねられ、二つ折りにされた金属製のガード板が刃先縁に巻き付いて刃体を覆っており、それらの部品は一体的に固着されている。すなわち、刃体とスペーサーとガード板は刃体部材としてユニット化されている。したがって、カミソリヘッドを組付けるときは、あらかじめユニット化された刃体部材を別の工程で組み立てておく必要があり、特許文献１の安全カミソリの単純な組付け方法と比較して、別の工程を必要とするので単純さの点で劣ると言える。そこで、刃体部材をユニット化させず、個々の部品ごとに、他の部品と共に重ねて組付ける方法も考えられる。しかし、この安全カミソリのガード板は、二つ折りにされるものであるから、平板状のガード板を重ねて他の部品と共に圧接しても自動的に二つ折りにすることができないのである。したがって、裏返したキャップ部材の上にガード板を裏返しに重ね、さらに刃体及びスペーサーを重ねた後に、ガード板を二つ折りにする工程が必要になるから、この場合も工程が単純化されないのである。さらに、ガード板を二つ折りにするためには強い力でプレスする必要があり、部品を重ね合わせた状態でガード板を折り目の付くように二つ折りにすることは困難である。したがって、特許文献２に記載された安全カミソリは、カミソリヘッドを組付けるときに、すべての部品を裏返しにして重ね、刃台とキャップ部材を圧接状態で結合するだけの単純な工程のみで行うことができないのである。
【先行技術文献】
【特許文献】
【０００５】
【特許文献１】特許第３２７５０９２号公報
【特許文献２】特許第３１６５６７４号公報
【発明の概要】
【発明が解決しようとする課題】
【０００６】
本発明は、刃体の刃先を横切るように刃先を覆う複数の刃先ガードが、製造時の誤差により、必要以上に浮き上ったり、必要以上の引張力を生じさせたりすることのない安全カミソリを提供することを目的とするものである。
【課題を解決するための手段】
【０００７】
請求項１記載の発明は、ガードプレートの、最も前側に位置する刃先を覆っている部分からプレート前部の前端方向に延びる部分が、その途中で方向を変えて前向きに延びるように曲げられており、その前向きに延びている部分が、キャップ部材と刃台との間で固定されている構成である。
【０００８】
請求項２記載の発明は、ガードプレートが、その途中で方向を変えて前向きに延びるように曲げられている部分は、ガードプレートのプレート前部にあって、その前向きに延びている部分であるプレート前部の前向き部分が、キャップ部材と刃台との間で固定されている構成である。
【０００９】
請求項３記載の発明は、ガードプレートの、前向きに延びている部分に孔部が形成され、キャップ部材又は刃台のいずれか一方に形成された突起がその孔に挿し込まれている構成である。
【００１０】
請求項４記載の発明は、孔部が、プレート前部の前向き部分に形成され、且つプレート前部の前向き部分から、それよりも後方の、プレート前部が曲げられている部分を含む位置まで延びている構成である。
【００１１】
請求項５記載の発明は、孔部が、プレート前部の前向き部分に形成され、且つ刃先ガードの延長上に位置している構成である。
【００１２】
請求項６記載の発明は、ガードプレートの前向き部分が、刃体とほぼ平行である構成である。
【００１３】
請求項７記載の発明は、プレート前部の、キャップ部材と刃台との間で固定された部分が、キャップ部材と刃台との間で前後方向、長手方向及び上下方向のうち少なくとも上下方向に遊びをもって固定されている構成である。
【００１４】
請求項８記載の発明は、プレート前部が、ガードプレートの長手方向に間隔を開けて形成された複数の固定用突片を含み、各固定用突片が、その前端方向に延びる途中で方向を変えて前向きに延びるように曲げられており、その前向きに延びる部分である前向き部分が、キャップ部材と刃台との間で固定されている構成である。
【発明の効果】
【００１５】
請求項１記載の発明は、ガードプレートの、最も前側に位置する刃先を覆っている部分からプレート前部の前端方向に延びる部分が、その途中で方向を変えて前向きに延びるように曲げられており、その前向きに延びている部分が、キャップ部材と刃台との間で固定されている。これに対して、特許文献１に記載されているガードプレートは、そのほぼ中央部が刃先を覆い、その覆った部分よりも前側の部分が下方に向けて曲がり、最終的にプレート前部はほぼ垂直に下方に延びていて、本発明と異なり途中で前向きに方向を変えていない。すなわち、ガード部材に加わる引張力などの外力が、ガード部材の前部に対し、その表面と平行な方向に作用する。このため、前述したように、ガード部材に加わる引張力などの外力が、ガード部材の前部に対し、軽減されることなくそのままガード部材の前部に伝わることになり、加わる外力を途中で減じる手段がないのである。したがって、ガード部材の前部を強固に固定する必要がある。本発明では、曲げられて前向きに延びている部分に、ガードプレートに加わる引張力などの外力が作用しても、その外力は、曲げられた部分によって、その外力のごく一部の分力が前向きに延びている部分に引張力として加わるので、前向きに延びている部分に加わる引張力などの外力が大幅に軽減される。したがって、ガードプレートの前部を強固に固定する構成及び工程を必要としないという効果を有する。特に、ガードプレートのほぼ垂直に下方に延びている部分を、その途中で前向きに水平に延びるように曲げたときは、その曲げ角度がほぼ直角となるので、前向きに延びている部分に加わる引張力などの外力の軽減の度合いはきわめて大きくなる。また、ガードプレートの下方に延びている部分が、垂直に下方に延びるのではなく、下方に向かって斜め前方に延びている構成であっても、前向きに延びている部分との境界が曲げられた部分となるので、その曲げられた部分によりほぼ同様に外力が軽減される。したがって、このように構成すれば、前向きに延びている部分を、キャップ部材と刃台との間で固定するときに、キャップ部材と刃台にそれぞれ軽く当たる程度で挟み付ければ、髭剃りに支障のない程度にガードプレートを固定することができる。すなわち、ガードプレートの前向きに延びている部分を、キャップ部材と刃台にそれぞれ軽く当たる程度で挟み付ければ、前述したように、外力のごく一部の分力が前向きに延びている部分に引張力として作用する一方、外力の他の分力は、前向きに延びている部分を上方に引き上げる力として作用する。そうすると、前向きに延びている部分の上面がキャップ部材に圧接して摩擦力を生じるので、曲げられた部分がキャップ部材と刃台の間から引き出されることを確実に防止できる。従来のように、前向きに延びている部分を圧接状態で挟み付ける場合には、製造時の誤差により、刃先ガードを必要以上に浮き上がらせたり、刃先ガードに必要以上の引張力を生じさせたりした状態のままで固定される虞がある。これに対して、本発明は軽く当てる程度の固定で済むので、刃先ガードが必要以上に浮き上ったり、必要以上の引張力を生じさせたりするような誤差があっても、ガードプレートの弾性力などによるガードプレートの部分的変位によってそのような誤差を是正することができる。
【００１６】
請求項２記載の発明は、ガードプレートが、その途中で方向を変えて前向きに延びるように曲げられている部分は、ガードプレートのプレート前部にあって、その前向きに延びている部分であるプレート前部の前向き部分が、キャップ部材と刃台との間で固定されている。仮に、ガードプレートの、その途中で方向を変えて前向きに延びるように曲げられている部分が刃先ガードにあると、刃先ガードの幅が非常に狭いので、刃先ガードをその曲げ部分のアールを小さくして直角に曲げると、曲げた部分が千切れる虞がある。プレート前部は、その幅が刃先ガードよりも大きいので、曲げた部分が千切れる虞がないのである。
【００１７】
請求項３記載の発明は、ガードプレートの、前向きに延びている部分に孔部が形成され、キャップ部材又は刃台のいずれか一方に形成された突起がその孔に挿し込まれている。このような構成は、例えば、刃先ガードが偶発的に引っ張られる等の場合に機能する。例えば、刃先ガードが何か別の物の小さな突出部などに引っ掛かって引っ張られたときに突起が有効に機能する。また、突起は、ガードプレートの前向きに延びている部分に形成された孔部に挿し込まれるのであるから、突起は前向きに延びている部分に対して垂直方向に突出する。したがって、突起は、それが形成されているキャップ部材又は刃台から横方向に突出しない。これに対して、突起に該当する特許文献１の係合片１７は、構成部材Ａ（キャップ部材）に横方向内向きに突出している。後述するように、この構成の違いによって、下刃の刃先から皮膚接触部の上面に延ばした接線の接点と、下刃の刃先との間のスパンを小さくすることができるが、特許文献１の安全カミソリでは本発明ほど小さくすることができない。
【００１８】
請求項４記載の発明は、突起が挿し込まれている孔部は、プレート前部の前向き部分に形成され、且つプレート前部の前向き部分から、それよりも後方の、プレート前部が曲げられている部分を含む位置まで延びている。これに対して、孔部全体が、プレート前部が曲げられている部分よりも前側にあるときは、孔部と曲げられている部分との間の間隔があるだけ、プレート前部の前端と孔部との間の間隔が大きく取れない。そこで、孔部を、プレート前部が曲げられている部分を含む位置まで延ばすと、前記間隔がなくなるので、プレート前部の前端と孔部との間の間隔を広げることができる。したがって、プレート前部の前端と孔部との間の間隔が広がったことにより、その部分の強度が増しているので、刃先ガードが偶発的に引っ張られるようなことが起きても、十分に対応することができる。また、孔部が、曲げられている部分を越えて延びるような構成であるときは、曲げられた部分の位置に多少の誤差があっても、孔部は確実に曲げられた部分まで届くものとすることができる。
【００１９】
請求項５記載の発明は、孔部が、プレート前部の前向き部分に形成され、且つ刃先ガードの延長線上に位置している。孔部には突起が挿し込まれているので、ガードプレートに加わった引張力などの外力は、延長線が孔部を通る刃先ガードによってバランス良く力が配分されるので、プレート前部の形状が崩れる虞がないのである。
【００２０】
請求項６記載の発明は、ガードプレートの前向き部分が、刃体とほぼ平行である。したがって、最も前側に位置する刃先よりも前端方向に延びるガードプレートがほぼ垂直に下方に延びるものであるときは、ガードプレートの前向き部分を刃体とほぼ平行とすることにより、ガードプレートの曲げられている部分の角度がほぼ直角となる。これにより、前向きに延びている部分に加わる引張力などの外力の軽減の度合いを大きいものとすることができる。
【００２１】
請求項７記載の発明は、プレート前部の、キャップ部材と刃台との間で固定された部分が、キャップ部材と刃台との間で前後方向、長手方向及び上下方向のうち少なくとも上下方向に遊びをもって固定されている。前述したように、前向きに延びている部分を圧接状態で挟み付ける場合には、製造時の誤差により、刃先ガードが必要以上に浮き上ったり、逆に刃先ガードに必要以上の引張力を生じさせたりする虞がある。これに対して、前後方向、長手方向及び上下方向の少なくとも上下方向に遊びを持たせた固定とするときは、刃先ガードが必要以上に浮き上ったり、必要以上の引張力を生じさせたりするような誤差があっても、ガードプレートの弾性力などによるガードプレートの部分的変位によってそのような誤差を是正することができる。
【００２２】
請求項８記載の発明は、プレート前部が、ガードプレートの長手方向に間隔を開けて形成された複数の固定用突片を含み、各固定用突片が、その前端方向に延びる途中で方向を変えて前向きに延びるように曲げられており、その前向きに延びる部分である前向き部分が、キャップ部材と刃台との間で固定されている。キャップ部材と刃台との間に固定されている前向き部分が、固定用突片という形で細分化されているので、キャップ部材及び刃台との接触面が減って、固定用突片が動き易くなり、前述した製造時の誤差の是正を迅速且つ確実に行うことができる。また、固定用突片の幅は、ガードプレートの幅よりも小さいので、折り曲げ部分の長さが短くなり、折り曲げに際して誤差の発生を少なくすることができる。さらに、折り曲げ部分が、固定用突片の孔部を横切るときは、折り曲げ部分の長さがさらに短くなるので、折り曲げが容易で、誤差の発生をさらに少なくすることができる。
【図面の簡単な説明】
【００２３】
【図１】本発明の分解斜視図である。
【図２】キャップ部材の斜視図である。
【図３】刃台の斜視図である。
【図４】突起を通る線で切った本発明の断面図である。
【図５】ガードプレートのプレス前の平面図である。
【図６】図５におけるガードプレートのプレス後のＡ−Ａ拡大断面図である。
【図７】ガードプレートの他の実施例のプレス前の平面図である。
【図８】ガードプレートの他の実施例のプレス前の平面図である。
【図９】ガードプレートの他の実施例のプレス前の平面図である。
【発明を実施するための形態】
【００２４】
次に、本発明の実施例について図面を参照して説明する。図４から明らかなように、本実施例は替刃カートリッジを交換可能に取り付けることのできる安全カミソリの替刃カートリッジ１に関するものであるが、刃体を有するカミソリヘッドが柄と一体的に取り付けられている安全カミソリであってもよいことは勿論である。図１は、替刃カートリッジ１を裏返した分解図であって、各構成部品は、下から、キャップ部材２、棒状のシェービングエイド３、所定の形状にプレスされたガードプレート４、上刃５、上スペーサー６、中刃７、下スペーサー８、下刃９及び刃台１０の順で並べられている。刃体の数は３枚であるが、これに限定されるものでなく、１枚又は２枚であってもよく、３枚より多くてもよい。これらの構成部品を組付けて替刃カートリッジ１を組み立てるときは、裏返したキャップ部材２の上に、棒状のシェービングエイド３、所定の形状にプレスされたガードプレート４、上刃５、上スペーサー６、中刃７、下スペーサー８、下刃９及び刃台１０の順で重ねた後、キャップ部材２と刃台１０とを結合する。
【００２５】
キャップ部材２は合成樹脂で一体に形成されている。キャップ部材２の後端部１１に沿って、シェービングエイド３を装着するための細長い収納部１２が長手方向に延びている。収納部１２は、その両端部に、シェービングエイド３の両端部を受けるための受け溝１３，１３が形成されており、図２に示すように、収納部１２の両受け溝１３，１３の間の部分は開口１４が形成されている。シェービングエイド３が開口１４から露出することで、髭剃り中に潤滑作用をなす。
【００２６】
収納部１２に近接して、４つのかしめピン１５が長手方向に一列に並ぶように形成されている。なお、本明細書において、長手方向とは、図１に示す構成各部品が組付けられた替刃カートリッジの長手方向を言い、前後方向とは、長手方向に直交する方向を言うものとする。キャップ部材２の前端部には、長手方向に延びる皮膚接触部１６が形成されている。この皮膚接触部１６には２つの小さいかしめピン１７が形成されており、それらの隣に、２つの浅い凹所１８が形成されている。また、それらの凹所１８にはそれぞれ突起１９が形成されている。
【００２７】
ガードプレート４は、金属で形成されている。但し、これに限定されるものではなく、ガードプレート４として機能できる材料であればよく、例えば合成樹脂などであってもよい。図１に示したガードプレート４は所定の形状にプレスされているが、当初は、図５に示すように平板状であって、その厚みは一定であり、約０．０５ｍｍである。また、ガードプレート４の長手方向の最大長さは約２７．６ｍｍであり、前後方向の最大長さは約１１．７ｍｍである。プレート後部２３の長さは約２４．６ｍｍである。また、抜き孔２５の長手方向の長さは約２．９ｍｍであり、前後方向の長さは約４．４ｍｍである。ガードプレート４は、プレート前部２２と、プレート後部２３と、それらの間に形成された１０本の刃先ガード２４から成る。刃先ガード２４の数は１０本に限定されるものではない。刃先ガード２４は、ガードプレート４に９個の抜き孔２５を抜くことにより形成される。抜き孔２５の幅を変えることにより、刃先ガード２４の数を変えることができる。刃先ガード２４は幅が細く形成されており、その幅は約０．１５ｍｍであるが、この数値に限定されるものではない。プレート前部２２は、抜き孔２５に沿って長手方向に細長く延びる基部２６と、その基部２６から前側に延びる２つの固定用突片２７とから成る。プレート後部２３には、キャップ部材２の４つのかしめピン１５の、内側の２つのかしめピン１５を挿通させるための２つの挿通孔２８が形成されている。外側の２つのかしめピン１５は、プレート後部２３の両端の外側を通る。
【００２８】
図６に示すように、平板状のガードプレート４は、プレスにより折り曲げ線２０，２１が形成されている。この図６で、ガードプレート４が、その途中で方向を変えて前向きに延びるように曲げられている部分は、折り曲げ線２１よりも前側（図６で左側）の水平部分である。また、その折り曲げ線２１よりも前側の水平部分は、プレート前部２２の一部であって、これが、プレート前部２２の前向き部分に該当する。折り曲げ線２０，２１における折り曲げ部分のアールは約０．３ｍｍであるが、この数値に限定されるものではない。
【００２９】
前述した２つの固定用突片２７のそれぞれに孔部２９が形成されている。前述した折り曲げ線２１が孔部２９を横切るように通っており、孔部２９は、その折り曲げ線２１を境にして前側孔部３０と後ろ側孔部３１とに分けられる。同様に、固定用突片２７も、折り曲げ線２１によって前側突片３２と後ろ側突片３３とに分けられる。図６に示すように、前向きに曲げられた前側突片３２と前側孔部３０は共にほぼ水平で、後ろ側突片３３と後ろ側孔部３１は共にほぼ垂直である。したがって、前側突片３２と後ろ側突片３３とのなす角度はほぼ直角である。なお、前側突片３２と後ろ側突片３３とのなす角度が直角より大きくなっても、その角度が、本発明の効果を発揮し得ないほど極端に大きくなければ、曲げられた部分は有効に引張力軽減の作用をすることができる。すなわち、曲げられた部分の角度は、９０度のほか、９０度から１３０度までの範囲であればよく、例えば、９０度から１００度の範囲であっても、９０度から１１０度の範囲であっても、あるいは９０度から１２０度の範囲であってもよい。その場合、後ろ側突片３３は垂直でなく、曲げられた部分の角度に対応して傾斜してもよい。また、曲げられた部分の角度が９０度より小さくてもよい。
【００３０】
前述したように、替刃カートリッジ１の各構成部品の組付けは、裏返したキャップ部材２の上に構成部品を順に重ねていく。最初に、キャップ部材２の、シェービングエイド３を収納するための収納部１２に、シェービングエイド３が収納される。次に、その上からガードプレート４が重ねられる。ガードプレート４のプレート後部２３が、収納されたシェービングエイド３を覆うことによって、シェービングエイド３が収納部１２内でガタつくことを防止している。
【００３１】
ガードプレート４がキャップ部材２に重ねられると、それから順次、上刃５の挿通孔３４、上スペーサー６の挿通孔３５、中刃７の挿通孔３６、下スペーサー８の挿通孔３７、下刃９の挿通孔３８及び刃台１０の挿通孔３９にキャップ部材２のかしめピン１５を挿通させる。それと同時に、小さいかしめピン１７が刃台１０の小さい挿通孔４０に挿通される。かしめピン１５と小さいかしめピン１７の先端部は、共に刃台１０の挿通孔３９及び小さい挿通孔４０から抜け出すので、その抜け出した先端部を押圧又は溶着等してかしめることにより替刃カートリッジ１が組立てられる。
【００３２】
図４に示すように、替刃カートリッジ１が組み立てられた時に、前側突片３２がキャップ部材２の凹所１８内に納まる。その際、突起１９は、前側孔部３０内に挿入され、さらに、突起１９の先端部は図３にも記載されている凹部４１内に届く。図４には、突起１９の先端部が凹部４１内に届いた状態が示されている。そして、刃台２の前部４４の上面４３が、凹所１８を覆っている。これにより、前側突片３２の上下方向の遊びの範囲が定まる。なお、図４の断面図は、図５に示すガードプレート４が替刃カートリッジ１に組付けられたときの、Ａ−Ａ線で切った断面図である。前述したように、ガードプレート４の厚みは一定であり、約０．０５ｍｍであるから、前側突片３２の厚みも約０．０５ｍｍである。これに対して、その前側突片３２が納まる凹所１８の深さは約０．１０ｍｍである。したがって、図４に示されているように、前側突片３２は、凹所１８内で厚み方向に約０．０５ｍｍの遊びを有している。また、凹所１８の長手方向の長さは約５．５ｍｍであり、その中に納まる前側突片３２の長手方向の長さは約４．５ｍｍである。したがって、前側突片３２は、凹所１８内で長さ方向にも遊びを有している。さらに、突起１９の長手方向の長さと前後方向の長さは、それぞれ、その突起１９が挿入される前側孔部３０の長手方向の長さと前後方向の長さよりも短く形成されている。したがって、突起１９は前側孔部３０の中で遊びを有するので、前側突片３２は、突起１９によって完全に固定されるものではなく、遊びを有した固定となる。さらに、図４に示すように、ガードプレート４の折り曲げ線２０，２１の間の、垂直に延びる基部２６の前面は、キャップ部材２の皮膚接触部１６の後面４２に軽く接触しており、基部２６の後面は、いずれの部分とも接触していない。したがって、皮膚接触部１６の後面４２と基部２６の前面との間にのみ生じる摩擦力は非常に小さいので、皮膚接触部１６の後面４２に対して容易に移動することができる。このように、前述した遊びや軽い接触によって、前側突片３２は凹所１８内で容易に動くことができるので、ガードプレート４の取付けに誤差が生じても、前側突片３２の移動によって、プレート前部２２や刃先ガード２４が適切な位置に変位して、自動的に誤差を正すことができる。
【００３３】
前述したように、突起１９は、凹所１８内に形成されている。そして、替刃カートリッジ１が組み立てられた時に、突起１９は、前側孔部３０内に挿入され、さらに、突起１９の先端部は図３にも記載されている凹部４１内に届く。これから明らかなように、突起１９は、凹所１８から垂直に突出するのであって、横方向に突出しない。したがって、下刃９を組付けるときに、皮膚接触部１６の後面４２から突起が突出していないから、下刃９の刃先４５を前記後面４２に接近させて組付けることができる。これにより、図４に示すように、下刃９の刃先４５から、皮膚接触部１６の上面に引いた接線４７の接点４６と、下刃９の刃先４５との間のスパンを小さくすることができるのである。これに対して、突起１９に該当する特許文献１に記載された係合片１７は、内側横方向に突出している。しかも、この係合片１７の高さが十分でないときは、組付け中にその係合部分が外れる虞があるから、ある程度の高さが必要である。したがって、組付けに際し下刃を重ねるときに、下刃の刃先が係合片１７に当たる虞があるので、係合片１７の高さ分だけ前端壁１２と下刃の刃先との間の距離を大きくする必要がある。そうすると、下刃の刃先から、前端壁１２の上面の皮膚接触部に引いた接線の接点と、下刃の刃先との間のスパンが大きくなるのである。また、このスパンが大きいときは、髭剃り中に皮膚がそのスパンの間から下方に凸の山状に押し込まれるので、皮膚接触部の働きが弱められる。これに対して、本発明では、係合片１７のように横方向に突出する突起が存在しないので、スパンを小さくすることが可能で、そのスパン間の皮膚は平面に近い形状となり、皮膚接触部の働きが十分に発揮される。
【００３４】
本実施形態の構成部品のサイズについては前述した通りであるが、さらに追加すると、替刃カートリッジ１の長手方向の全長は約４０．０ｍｍであり、前後方向の長さは約１１．５ｍｍであり、最大厚みは約５．８ｍｍである。サイズは以上の通りであるが、本発明がこれらの数値に限定されないことは勿論である。
【００３５】
なお、本発明は前述した構成に基づいて種々の態様をとることが可能である。例えば、ガードプレート４の孔部２９は、本実施例ではプレート前部２２が曲げられている部分を越えて後方に延びているが、本発明ではこのほか、孔部２９が、曲げられている部分まで延びているが曲げられた部分を越えてはいない構成、あるいは曲げられている部分に届かない構成も含まれる。また、本実施例では、固定用突片２７がその途中で曲げられているが、それに限定されるものではなく、固定用突片２７はその基部２６で曲げられて、固定用突片２７の全体がプレート前部２２の前向き部分を構成しているものであってもよい。また、突起１９を挿通させるための孔部２９は全部の固定用突片２７に形成せず、例えば１つの固定用突片２７のみに形成するものであってもよい。さらに、図７乃至図９は、ガードプレート４の他の実施例を示したものである。図７の実施例は、固定用突片２７に孔部２９が形成されていない構成である。図８の実施例は、プレート前部２２が複数の固定用突片２７を有しておらず、プレート前部２２に直接孔部２９を形成した構成である。図９の実施例は、図８の実施例の孔部２９を有していない構成である。本発明は、これらのガードプレート４を使用するものであってもよい。
【産業上の利用可能性】
【００３６】
製造時に、刃先ガードが必要以上に浮き上ったり、必要以上の引張力を生じさせたりするような誤差があっても、ガードプレートの弾性力などによるガードプレートの部分的変位によってそのような誤差を是正することができる。
【符号の説明】
【００３７】
１  替刃カートリッジ、    ２  キャップ部材、    ３  シェービングエイド、    ４  ガードプレート、    ５  上刃、    ６  上スペーサー、    ７  中刃、    ８  下スペーサー、    ９  下刃、    １０  刃台、    １１  キャップ部材の後端部、    １２  収納部、    １３  受け溝、    １４  開口、    １５  かしめピン、    １６  皮膚接触部、    １７  小さいかしめピン、    １８  凹所、    １９  突起、    ２０  折り曲げ線、    ２１  折り曲げ線、    ２２  プレート前部、    ２３  プレート後部、    ２４  刃先ガード、    ２５  抜き孔、    ２６  基部、    ２７  固定用突片、    ２８  挿通孔、    ２９  孔部、    ３０  前側孔部、    ３１  後ろ側孔部、    ３２  前側突片、    ３３  後ろ側突片、    ３４  挿通孔、  ３５  挿通孔、    ３６  挿通孔、    ３７  挿通孔、    ３８  挿通孔、    ３９  挿通孔、    ４０  小さい挿通孔、    ４１  凹部、    ４２  皮膚接触部の後面、    ４３  刃台の前部の上面、    ４４  刃台の前部
【図１】
0006548328.tif 000002
【図２】
0006548328.tif 000003
【図３】
0006548328.tif 000004
【図４】
0006548328.tif 000005
【図５】
0006548328.tif 000006
【図６】
0006548328.tif 000007
【図７】
0006548328.tif 000008
【図８】
0006548328.tif 000009
【図９】
0006548328.tif 000010